(57)【要約】【課題】  テレビジョンセットの電源がオン状態のままユーザが持運んだとき等、色純度が悪化した場合に必要な消磁を行う事を可能にした消磁回路を提供する。【解決手段】  直流電源に接続される消磁コイルと、この消磁コイルの給電側と反対側に接続されたコンデンサと抵抗の並列回路部と、この並列回路部の前記消磁コイルに接続された側と反対側に接続された手動スイッチとを備え、前記手動スイッチの前記並列回路部に接続された側と反対側はグラウンドと接続されることを特徴とする消磁回路。【選択図】      図４
2007067657.tif 000002
【特許請求の範囲】
【請求項１】
直流電源に接続される消磁コイルと、
この消磁コイルの給電側と反対側に接続されたコンデンサと抵抗の並列回路部と、
この並列回路部の前記消磁コイルに接続された側と反対側に一方が接続されて他方がグラウンドと接続される開閉器と、
消磁開始信号を入力する入力手段と、
前記入力手段からの前記消磁開始信号に基づいて前記開閉器に開閉動作を行わせる制御回路とを
備えたことを特徴とする消磁回路。
【請求項２】
直流電源に接続される消磁コイルと、
この消磁コイルの給電側と反対側に接続されたコンデンサと抵抗の並列回路部と、
この並列回路部の前記消磁コイルに接続された側と反対側に一方が接続されて他方がグラウンドと接続される手動スイッチとを
備えたことを特徴とする消磁回路。
【請求項３】
直流電源に接続される開閉器と、
この開閉器の給電側と反対側に接続されたコンデンサと抵抗の並列回路部と、
この並列回路部の前記開閉器に接続された側と反対側に一方が接続されて他方がグラウンドと接続される消磁コイルと、
消磁開始信号を入力する入力手段と、
前記入力手段からの前記消磁開始信号に基づいて前記開閉器に開閉動作を行わせる制御回路とを
備えたことを特徴とする消磁回路。
【請求項４】
直流電源に接続される手動スイッチと、
この手動スイッチの給電側と反対側に接続されたコンデンサと抵抗の並列回路部と、
この並列回路部の前記手動スイッチに接続された側と反対側に一方が接続されて他方がグラウンドと接続される消磁コイルとを
備えたことを特徴とする消磁回路。
【発明の詳細な説明】
【技術分野】
【０００１】
本発明は、消磁回路に係り、特に繰返し消磁可能な消磁回路に関する。
【背景技術】
【０００２】
テレビ信号受信端末、特に電源として直流電源を用いる所謂DC入力テレビジョン等のブラウン管の消磁を行うための、消磁回路が提案されている。例えば実開平６−４１２８９号公報（特許文献１）によるものは、主要回路素子として消磁コイルとコンデンサを接続し両者による振動電磁界による消磁を行うものである。
【０００３】
この機能としてはテレビジョンセットの電源の状態がオン状態となった所定時間後、電源スイッチ以外の第２スイッチがＯＦＦからＯＮに切り換わり、同時に第３スイッチがＯＮからＯＦＦに切り換わることにより、消磁コイルとコンデンサの電磁的な振動が開始されるという、消磁回路である。
【０００４】
このように先行提案は、テレビジョンセットの電源の状態がオン状態となったある時間後に一度だけ消磁ができるものである。従ってこの先行提案では、テレビジョンセットの電源がオン状態のままユーザが持運んだときに地磁気の影響を受ける等、色純度が悪化した場合に必要な消磁が行えるものではなかったという問題があった。
【特許文献１】実開平６−４１２８９号公報（第２頁、図１）
【発明の開示】
【発明が解決しようとする課題】
【０００５】
本発明は、テレビジョンセットの電源がオン状態のままユーザが持運んだとき等、色純度が悪化した場合に必要な消磁を行う事を可能にした消磁回路を提供することを目的とする。
【課題を解決するための手段】
【０００６】
上記課題を解決するために、本発明の消磁回路は、直流電源に接続される消磁コイルと、この消磁コイルの給電側と反対側に接続されたコンデンサと抵抗の並列回路部と、この並列回路部の前記消磁コイルに接続された側と反対側に接続された手動スイッチとを備え、前記手動スイッチの前記並列回路部に接続された側と反対側はグラウンドと接続されることを特徴とする。
【発明の効果】
【０００７】
本発明によれば、テレビジョンセットの電源がオン状態のままユーザが持運んだとき等、色純度が悪化した場合に必要な消磁を行う事を可能にした消磁回路が得られる。
【発明を実施するための最良の形態】
【０００８】
以下、本発明の実施例を説明する。
【実施例１】
【０００９】
本発明による消磁回路の実施例１を図１乃至図３を参照して説明する。テレビジョンセットの例である。
図１はテレビジョンセット１の外観図であり、（ａ）は正面図、（ｂ）は側面図である。テレビジョンセット１は、前面にブラウン管２の映像表示面が出る構造であり、テレビジョンセット１の内部ではブラウン管２を囲む形に消磁コイル３を内蔵している。テレビジョンセット１のフロントカバー下部には消磁用手動スイッチ４が取り付けられている。この内、ブラウン管２への消磁コイル３の実装状態を表す構成部分を図２にテレビジョンセット１の模式図として示す。
【００１０】
図３は、消磁回路の構成図である。消磁回路本体は消磁用電源（直流電圧200V程度）から電圧を供給されている消磁コイル３と、消磁コイル３の給電側と反対側に接続するコンデンサ５と抵抗６の並列回路部と、この並列回路部の消磁コイル３に接続している側と反対側に接続する開閉器７とから成る。開閉器７の前記並列回路部に接続している側と反対側はフレームグラウンドに落とされている。各要素の仕様として例えば、消磁コイル３は15μH、コンデンサ５は3.9μF、抵抗６は２ＭΩで、開閉器７はリレー回路の構成である。開閉器７は半導体等による固体スイッチで構成してもよい。開閉器７は制御回路８よりの開閉信号に基づいて開閉する構成となっており、また制御回路８は消磁開始信号入力９に基づいて開閉器７へ開閉信号を送る構成となっている。消磁開始信号入力９は手段として例えば押しボタン式の消磁用手動スイッチ４がある。また、加速度センサーをテレビジョンセット１に内蔵させて、テレビジョンセット１の移動、回転の検出を消磁開始信号入力９の手段としてもよい。
【００１１】
ブラウン管は地磁気の影響を受け色純度が悪化するので消磁する必要がある。DC入力テレビジョンでは特に電源オン状態でユーザがテレビジョンを移動することがあり、一度消磁されていたとしても再びブラウン管の消磁を行う必要が発生する。
【００１２】
動作を説明する。ユーザがテレビジョンセット１の図示せぬ専用ボタンを押すことにより消磁開始信号入力９が行われ、それに基づいて制御回路８は開閉器７へ開閉信号として閉じるという制御信号を送る。この閉じるという制御信号は消磁の所要時間が経過した後には開くという制御信号に替わる。開閉器７はこの制御信号に基づき閉じ次に開き、その後は開いたままの状態を維持する。開閉器７が閉じたとき、消磁用電源から消磁コイル３を経てコンデンサ５に対して充電電流が流れる事により消磁が開始される。
【００１３】
再び消磁開始信号入力９が行われた場合には、コンデンサ５の残留電荷は、抵抗６によって十分に放電されているので前回と同様に消磁動作が可能となる。前述の消磁コイル３とコンデンサ５の仕様から計算される消磁の振動周期は48μsecで寄生容量等の消磁回路の実装条件を反映した周期は百μsec以上に延びることもあるが、振動を多数回繰り返してもｍsecオーダーで振動は終了すると見なせる。他方コンデンサ５と抵抗６の仕様から計算できる63％割合の放電の時定数は7.8secであり同様に実装条件により推移することを見越しても放電の所要時間は概ねsec(秒)オーダーと見なせる。なお放電割合がより少なくても実用になる場合が多くその場合には秒オーダー以下の所要時間であることが多い。この放電の所要時間が実用上長すぎる場合は抵抗６やコンデンサ５の値をより小さくして所要時間を短くすることができる。
【００１４】
消磁開始信号入力９の手段として押しボタン式の消磁用手動スイッチ４を用いて押している間消磁開始信号入力９が継続する場合、制御回路８の開閉器７への開閉信号としては同じ時間継続する、押し始めから一定時間継続する、離してから一定時間継続するといった動作設定の選択が、ユーザの好みによりテレビジョンセット１に一般に備わっている設定画面の消磁動作設定用の追加メニューを使用して可能である。
【００１５】
また、加速度センサーを消磁開始信号入力９の手段とし加速度が生じているというセンサー出力を得る場合、制御回路８の開閉器７への開閉信号としては出力を得終わった後一定時間継続する、出力が得られている間中例えば秒オーダー以下の時間間隔で各一定時間継続するといった動作設定の選択が可能である。前者はセット移動・回転が終わったあとの自動消磁、後者はセット移動中のテレビジョンセット１の視聴に有効である。両者を共に行う動作設定でもよい。
【００１６】
なお、抵抗６を回路として意図して構成しなくても一般に等価的な高抵抗による漏れ電流によりコンデンサ５の放電は緩やかに進む場合があるが、実装条件に大きく作用されて必要な動作として定まったものにはならない。
【００１７】
抵抗６が有ることにより、消磁開始信号入力９が連続しても、入力される毎に消磁動作となり、ブラウン管２の色純度の保持が出来る。
【実施例２】
【００１８】
本発明による消磁回路の実施例２を図１、図２及び図４を参照して説明する。なお実施例１と同様の部分は記載を省略する。
図４は、消磁回路の構成図である。図３と異なるのは、開閉器７、制御回路８、消磁開始信号入力９の替わりに手動スイッチ１０が入っていることである。手動スイッチ１０は例えば押しボタンに連動したリレー回路の構成である。半導体等による固体スイッチで構成してもよい。
【００１９】
動作を説明する。ユーザが手動スイッチ１０を消磁開始操作することにより手動スイッチ１０は閉じる。この閉じた状態はユーザが手動スイッチ１０を開放操作することにより終了して開いた状態に替わり、その後開いた状態が維持される。手動スイッチ１０が閉じたとき、消磁用電源から消磁コイル３を経てコンデンサ５に対して充電電流が流れる事により消磁が開始される。手動スイッチ１０としては例えばテレビジョンセット１のフロントカバー下部に押しボタン式の消磁用手動スイッチ４を取り付け、ユーザがそれを押すのが消磁開始操作で離すのが開放操作となるようにする。以下の動作、効果は実施例１と同様である。実施例１と比較して制御回路が不要な簡易な構成となる。
【００２０】
以上の実施例では、電源の正側を消磁コイル３に接続したが、電源の負側を消磁コイル３に接続してもよい。また電源の正側又は負側を開閉器７又は手動スイッチ１０に接続し、対応して消磁コイル３をフレームグラウンドに接続してもよい。
【図面の簡単な説明】
【００２１】
【図１】本発明による消磁回路の実施例１のテレビジョンセットの外観図。
【図２】消磁回路の実施例１のテレビジョンセットの模式図。
【図３】消磁回路の実施例１の構成図。
【図４】消磁回路の実施例２の構成図。
【符号の説明】
【００２２】
１  テレビジョンセット
２  ブラウン管
３  消磁コイル
４  消磁用手動スイッチ
５  コンデンサ
６  抵抗
７  開閉器
８  制御回路
９  消磁開始信号入力
１０  手動スイッチ
【図１】
2007067657.tif 000003
【図２】
2007067657.tif 000004
【図３】
2007067657.tif 000005
【図４】
2007067657.tif 000006